(57)【要約】【課題】メンテナンス時等の電気接続箱のカバー開閉の作業性を向上させる。【解決手段】ケース本体１１の上面開口の全面に被せるカバー２１を備え、該カバー２１の左右両側をケース本体１１に支持片３１を介して開閉自在に連結し、該支持片３１の両端を夫々ケース本体１１とカバー２１とに回転自在に軸着し、カバー２１は閉動作時に水平姿勢としてケース本体１１の上面開口を閉鎖すると共に、メンテナンス時の開動作時には、支持片３１をケース本体１１側の軸着部を支点として回転させてカバー２１の後側を下降させると共に前側を上昇させた傾斜姿勢とし、ケース本体１１の電装品装着部１２のうち要メンテナンス部品を装着している前側部を開口する構成としていることを特徴とする。【選択図】図１
2008099347.tif 000002
【特許請求の範囲】
【請求項１】
車両に搭載されるケース本体の上面開口の全面に被せるカバーを備え、該カバーの左右両側を前記ケース本体に支持片を介して開閉自在に連結し、該支持片の両端を夫々ケース本体とカバーとに回転自在に軸着し、
前記カバーは閉動作時に水平姿勢として前記ケース本体の上面開口を閉鎖すると共に、開動作時には、前記支持片をケース本体側の軸着部を支点として回転させてカバーの後側を下降させると共に前側を上昇させた傾斜姿勢とし、前記ケース本体の前側部を開口する構成としていることを特徴とする車載用の電気接続箱。
【請求項２】
車両に搭載されるケース本体の上面開口の全面に被せるカバーを備え、該カバーは前後方向で分割して前側を開閉用カバー、後側を開閉不要カバーとし、該開閉不要カバーはケース本体に固定している一方、前記開閉用カバーの左右両側を前記ケース本体に支持片を介して開閉自在に連結し、該支持片の両端を夫々ケース本体とカバーとに回転自在に軸着し、
前記開閉用カバーは閉動作時に水平姿勢として前記ケース本体の前側開口を閉鎖すると共に、開動作時には、前記支持片をケース本体側の軸着部を支点として前側へと回転させて、該開閉用カバーの前側を下降させる傾斜姿勢とし、前記ケース本体の前側部を開口する構成としていることを特徴とする車載用の電気接続箱。
【請求項３】
車両に搭載されるケース本体の上面開口の全面に被せるカバーを備え、該カバーは前後方向で分割して前側を開閉用カバー、後側を開閉不要カバーとし、該開閉不要カバーはケース本体に固定している一方、前記開閉用カバーの左右両側を前記ケース本体の左右両側壁に対して前方へスライド自在に連結し、
前記開閉用カバーは閉動作時に前記ケース本体の前側開口を閉鎖すると共に、開動作時には前方へ引き出して、前記ケース本体の前側部を開口する構成としていることを特徴とする車載用の電気接続箱。
【請求項４】
前記開動作時に作動される前記カバーは、閉鎖時に、該カバーと前記ケース本体の前側とを着脱可能なロック部を介して結合している請求項１乃至請求項３のいずれか１項に記載の車載用の電気接続箱。
【発明の詳細な説明】
【技術分野】
【０００１】
本発明は、 車載用の電気接続箱に関し、特に、カバーの開閉構造を改良してメンテナンス作業性を向上させるものである。
【背景技術】
【０００２】
自動車に搭載される電気接続箱は、
通常、 図８の電気接続箱１に示すように、ケース本体２の電気部品装着部２ａにヒューズやリレーなどの電気部品３を着脱自在に嵌合し、該電装品装着部２ａをカバー４で覆い、該カバー４とケース本体２とを着脱自在にロック結合している。（特開２００１−６９６４４号公報等）
【０００３】
前記ケース本体２内にリレー、ヒューズ、ヒュージブルリンクなどの電気部品３を収容する場合、これらの電気部品が交換等のメンテナンスを必要とする場合、カバー４のロックを解除し、該カバー４をケース本体２から外した状態で部品交換作業等を行う必要がある。
この種の電気接続箱が自動車のエンジンルームに搭載される場合、エンジンルーム内には多くの車載部品が設置され、カバー取り外し用の十分なスペースを周囲に確保できない場合が多い。特に、エンジンルームの見栄えを向上させるために電気接続箱を樹脂カバーで覆っている場合は、カバー取り外し用のスペースは一層狭隘となる。
このように、カバーの取り外しスペースが狭いために、電装品装着部を大きく開くことができない状態でメンテナンス作業を行うと、ブラインド作業が増え、作業性が悪化する点に問題があった。
【０００４】
前記問題に対し、特開２０００−３１６２２０号（特許文献２）では、図９（Ａ）（Ｂ）に示すように、ケース本体６の電気部品装着部６ａを覆うカバーを複数に分割した電気接続箱５が提案されている。
即ち、図示の例では、第一カバー７ａと第二カバー７ｂとに上下二分割し、ケース本体６に設けたガイド部８ａ〜８ｄに沿って、各カバー７ａ、７ｂごとにケース本体６にスライドして着脱することを提案し、これにより、カバー取り外し用スペースを小さくできるとしている。
【０００５】
しかしながら、取り外されたカバー７ａ、７ｂは、ケース本体６から完全に分離して外されるため、メンテナンス作業中にカバー７ａ、７ｂを何処かに仮置きする必要があるうえ、その際に紛失、破損する虞もあり、管理面で改良の余地がある。
さらに、完全に取り外されたカバー７ａ、７ｂをケース本体６に再嵌合する手間がかかり、組み付け作業性の面でも改良の余地がある。
【０００６】
【特許文献１】特開２００１−６９６４４号公報
【特許文献２】特開２０００−３１６２２０号公報
【発明の開示】
【発明が解決しようとする課題】
【０００７】
本発明は前記問題に鑑みてなされたもので、カバー取り外しスペースが小さく、かつ、カバーの管理や組み付けの手間も少なく、メンテナンス作業性を向上できる車載用の電気接続箱の提供を課題としている。
【課題を解決するための手段】
【０００８】
前記課題を解決するために、第１の発明として、車両に搭載されるケース本体の上面開口の全面に被せるカバーを備え、該カバーの左右両側を前記ケース本体に支持片を介して開閉自在に連結し、該支持片の両端を夫々ケース本体とカバーとに回転自在に軸着し、
前記カバーは閉動作時に水平姿勢として前記ケース本体の上面開口を閉鎖すると共に、開動作時には、前記支持片をケース本体側の軸着部を支点として回転させてカバーの後側を下降させると共に前側を上昇させた傾斜姿勢とし、前記ケース本体の前側部を開口する構成としていることを特徴とする車載用の電気接続箱を提供している。
【０００９】
また、第２の発明として、車両に搭載されるケース本体の上面開口の全面に被せるカバーを備え、該カバーは前後方向で分割して前側を開閉用カバー、後側を開閉不要カバーとし、該開閉不要カバーはケース本体に固定している一方、前記開閉用カバーの左右両側を前記ケース本体に支持片を介して開閉自在に連結し、該支持片の両端を夫々ケース本体とカバーとに回転自在に軸着し、
前記開閉用カバーは閉動作時に水平姿勢として前記ケース本体の前側開口を閉鎖すると共に、開動作時には、前記支持片をケース本体側の軸着部を支点として前側へと回転させて、該開閉用カバーの前側を下降させる傾斜姿勢とし、前記ケース本体の前側部を開口する構成としていることを特徴とする車載用の電気接続箱も提供している。
【００１０】
前記いずれの電気接続箱においても、カバーの開動作は、カバーをケース本体から取り外してケース本体の上面全面を開口するのではなく、カバーを回転させてケース本体からずらし、ケース本体のうち、少なくとも前側部を開口し、かつ、その開口状態を維持するものである。従って、カバー取り外しスペースを小さくできると共に、部品交換作業も目視作業によって容易に行うことができる。
また、カバーを分割し、前側部を覆っている開閉用カバーのみを開ける構造とすることにより、カバー取り外しスペースは一層小さくできる。
【００１１】
さらに、カバーとケース本体とは前記支持片によって回転自在に連結されているため、開動作時においてもカバーがケース本体から完全には取り外されることがないうえ、開けたカバーを閉鎖するときも、支持片を回転させて水平姿勢に戻すだけで、カバーを元の正確な閉鎖位置に戻すことができる。従って、取り外したカバーを何処かに仮り置きし、また、そのカバーをケース本体に再組み付けする等の従来の手間がかからないうえ、取り外したカバーの紛失や破損も防止できるため、管理上の手間もかからず、メンテナンスの作業性を高めることができる。
【００１２】
さらに、第３の発明として、車両に搭載されるケース本体の上面開口の全面に被せるカバーを備え、該カバーは前後方向で分割して前側を開閉用カバー、後側を開閉不要カバーとし、該開閉不要カバーはケース本体に固定している一方、前記開閉用カバーの左右両側を前記ケース本体の左右両側壁に対して前方へスライド自在に連結し、
前記開閉用カバーは閉動作時に前記ケース本体の前側開口を閉鎖すると共に、開動作時には前方へ引き出して、前記ケース本体の前側部を開口する構成としていることを特徴とする車載用の電気接続箱も提供している。
【００１３】
この電気接続箱のカバーの開動作は、分割した一方の開閉用カバーのみをスライドさせて、ケース本体のうち、少なくとも前側部を開口し、かつ、その開口状態を維持するものである。従って、前述の各電気接続箱同様に、カバー全体をケース本体から取り外してケース本体の上面全面を開口するものではないため、カバー取り外しスペースを小さくできると共に、部品交換作業を目視作業によって容易に行うことができる。
【００１４】
また、開閉用カバーとケース本体とはスライド自在に連結されているため、開動作時においても開閉用カバーはケース本体から完全には取り外されることがないうえ、開けたカバーを閉鎖するときも、カバーを後方にスライドさせて押し戻すだけで、カバーを元の正確な閉鎖位置に戻すことができる。
従って、取り外したカバーを何処かに仮り置きし、また、そのカバーをケース本体に再組み付けする等の従来の手間がかからないうえ、取り外したカバーの紛失や破損も防止できるため、管理上の手間もかからず、メンテナンスの作業性を高めることができる。
【００１５】
なお、開閉用カバーとケース本体との連結方法としては、ケース本体の左右側壁にレールやガイド等のスライド抑制部を設け、該スライド抑制部に開閉用カバーを連結する方法や、ケース本体に固定された開閉不要カバーにスライド抑制部を設け、該スライド抑制部に開閉用カバーを連結することによって、間接的に開閉用カバーをケース本体にスライド自在に連結してもよい。
【００１６】
前記開動作時に作動される前記カバーは、閉鎖時に、該カバーと前記ケース本体の前側とを着脱可能なロック部を介して結合している。
【発明の効果】
【００１７】
上述したように、本発明によれば、カバー全体をケース本体から完全に取り外すのではなく、カバーを、あるいはカバーの一部のみをケース本体からずらすことによって、前側部のみを開口することができるため、カバー取り外しスペースを小さくできると共に、部品交換作業を目視作業によって容易に行うことができる。
【００１８】
また、カバーとケース本体とは回動自在に、あるいは、スライド自在に連結されているため、開動作時においてもカバーがケース本体から完全に取り外されることがなく、また、開けたカバーを閉鎖するときも、容易に元の閉鎖位置に戻すことができる。従って、カバーの仮置きや再組み付けの手間がかからないうえ、カバーの紛失や破損を防止でき、管理上の手間もかからないため、メンテナンス作業性を向上できる。
【発明を実施するための最良の形態】
【００１９】
以下、本発明の実施形態を図面を参照して説明する。
いずれの実施形態においても、自動車のエンジンルームに平置きで固定される電気接続箱に本発明を適用し、該電気接続箱の後側部（奥側）の上方には、エンジンルームの外観向上用の樹脂カバーＣが設置されている。
【００２０】
図１乃至図４は本発明の第一実施形態に係る車載用の電気接続箱１０を示す。電気接続箱１０は、図１に示すように、ケース本体１１と、該ケース本体１１の上面開口の全面に被せるカバー２１を備えている。
【００２１】
前記ケース本体１１の上面は、図２に示すように、各種電装品の嵌合部を形成した電装品装着部１２であり、該電装品装着部１２のうち、前記樹脂カバーＣが被さる後側部に、コネクタ１６等を着脱可能に装着し、樹脂カバーＣに覆われない前側部に、ヒューズ１７およびリレー１８を着脱可能に装着している。
【００２２】
前記カバー２１は、図１（Ａ）に示すように、ケース本体１１の上面開口の全面を覆うアッパー部２２と、該アッパー部２２の周壁２２ａの下端部に形成した本体嵌合部２３とからなる。該本体嵌合部２３は、アッパー部２２の周壁２２ａの下端を外側に屈曲させて形成したフランジ部２３ａと、該フランジ部２３ａの先端を下方に屈曲させて形成したスカート部２３ｂとからなる。
【００２３】
ケース本体１１の側壁１３の上端には、図１（Ｂ）に示すように、カバー２１の前記フランジ部２３ａとの当接部１４ａと、該当接部１４ａより上方に突出させた内側壁１４ｂとからなる段状のカバー嵌合部１４を形成している。
【００２４】
ケース本体１１とカバー２１とは、左右一対の支持片３１を介して回動可能に連結している。
詳しくは、支持片３１の両端部の一方をケース本体１１の左右一方の側壁１３の後側寄りの位置に、他方をカバー２１の左右一方のスカート部２３ｂの後側寄りの位置に、夫々軸３４、３５を貫通させて回転自在に軸着している。このとき、支持片３１は、図１（Ａ）に示すように、カバー２１とケース本体１１との嵌合状態において垂直姿勢となるように軸着される。また、支持片３１の両端の軸穴３２、３３のうち、カバー２１との軸着に用いる軸３５を貫通する軸穴３３は、図３（Ａ）（Ｂ）に示すように、該軸穴３３内を軸３５が上方に摺動可能な縦長の楕円形状としている。
同様に、ケース本体１１の左右他方の側壁１３と、カバー２１の左右他方のスカート部２３ｂにも、支持片３１の両端部をそれぞれ軸着する。
【００２５】
カバー２１の閉動作時は、カバー２１を水平姿勢とし、図４にも示すように、ケース本体１１の前記当接部１４ａにカバー２１のフランジ部２３ａの下面を当接させると共に、スカート部２３ｂの内面をケース本体１１の側壁１３の外面に、アッパー部２２の周壁２２ａをケース本体１１の前記内側壁１４ｂの外面に当接させて、カバー２１とケース本体１１とを嵌合させる。
この状態で、カバー２１の前面側のスカート部２３ｂに設けた係止爪２４を、ケース本体１１の前面側の側壁１３に設けた被係止部１５に係止して、カバー２１とケース本体１１とをロック結合する。
【００２６】
前記構成の電気接続箱１０は、メンテナンス作業においてカバー２１を開けるときに、カバー２１の前面の係止爪２４とケース本体１１の前面の被係止部１５とのロックを解除した後、図３（Ｂ）に示すように、カバー２１を上方に少し持ち上げる。
次いで、図１（Ｂ）に示すように、支持片３１とケース本体１１とを軸着する軸３４を支点として支持片３１を後側に回転させることにより、カバー２１を後側に倒してずらす。このとき、カバー２１は、後側が下降し前側が上昇した傾斜姿勢となるため、図２にも示すように、前記樹脂カバーＣと干渉することなくケース本体１１の電装品装着部１２の前側部を開口できると共に、図１（Ｂ）に示すように、アッパー部２２の上壁２２ｂがケース本体１１の後側の側壁１３の上端に当たり、カバー２１が前記傾斜姿勢以上に後側に傾斜してずり落ちることを規制する。
【００２７】
このように、本実施形態の電気接続箱１０は、カバー２１をケース本体１１から完全に取り外してしまうことなく、カバー２１を回動させて僅かにずらすことによって、要メンテナンス部品であるヒューズ１７やリレー１８を装着した電装品装着部１２の前側部を開口できるため、部品交換作業を目視作業で行うことができ、容易化できると共に、カバー２１の取り外しスペースも小さくできる。
【００２８】
また、カバー２１の開動作時においても、カバー２１は支持片３１を介してケース本体１１に連結したままであるため、カバー２１の仮置き場所も必要なく、紛失や破損も防止できる。さらに、メンテナンス作業終了後は、カバー２１を前側に引き戻せば、支持片３１の回転によりカバー２１は水平姿勢となり、正確な閉鎖嵌合位置に容易に戻すことができるため、組み付け作業性も向上する。
【００２９】
図５（Ａ）（Ｂ）に本発明の第二実施形態を示す。
本実施形態は、カバー２１を前側の開閉用カバー２１Ａと、後側の開閉不要カバー２１Ｂとに分割し、開閉不要カバー２１Ｂはケース本体１１にロック部４１で固定している。
【００３０】
前記開閉用カバー２１Ａとケース本体１１とは、左右一対の支持片３１を介して回動可能に連結している。
詳しくは、支持片３１の両端部の一方をケース本体１１の左右一方の側壁１３の前側寄りの位置に、他方を開閉用カバー２１Ａの左右一方のスカート部２３ｂに、夫々軸３４、３５を貫通させて回転自在に軸着している。このとき、支持片３１は、図５（Ａ）に示すように、開閉用カバー２１Ａとケース本体１１との嵌合状態において垂直姿勢となるように軸着される。また、支持片３１に設けられた、カバー２１Ａとの軸着用の軸穴３３は、該軸穴３３内を軸３５が上方に摺動可能な縦長の楕円形状としている。
同様に、ケース本体１１の左右他方の側壁１３と、開閉用カバー２１Ａの左右他方のスカート部２３ｂにも、支持片３１の両端部をそれぞれ軸着する。
【００３１】
開閉用カバー２１Ａの前面側のスカート部２３ｂには係止爪２４を設け、ケース本体１１の前面側の側壁１３には被係止部１５を設けている。
開閉用カバー２１Ａの閉動作時には、該開閉用カバー２１Ａを水平姿勢とし、開閉不要カバー２１Ｂの分割端側に開閉用カバー２１Ａの分割端部が上から被さって重合部２５を形成すると共に、前記係止爪２４を前記被係止部１５に係止して、開閉用カバー２１Ａとケース本体１１とをロック結合する。
【００３２】
本実施形態の電気接続箱１０は、メンテナンス作業において開閉用カバー２１Ａを開けるとき、開閉用カバー２１Ａの前面の係止爪２４とケース本体１１の前面の被係止部１５とのロックを解除した後、該カバー２１Ａを上方に少し持ち上げ、図５（Ｂ）に示すように、支持片３１とケース本体１１とを軸着する軸３４を支点として支持片３１を前側に回転させることにより、カバー２１を前側に倒してずらす。
このとき、カバー２１Ａの前側が下降し、後側が上昇した傾斜姿勢となるため、樹脂カバーＣと干渉することなくケース本体１１の電装品装着部１２の前側部を開口できると共に、開閉用カバー２１Ａの上壁２２ｂがケース本体１１の前側の側壁１３の上端に当たり、開閉用カバー２１Ａが前記傾斜姿勢以上に前側に傾斜してずり落ちることを規制できる。
【００３３】
本実施形態においても、カバー２１全体をケース本体１１から完全に取り外してしまうことなく、分割した一方の開閉用カバー２１Ａのみを回動させてずらすことによって、ヒューズ１７やリレー１８などの要メンテナンス部品を装着した電装品装着部１２の前側部を開口できるため、部品交換作業を目視作業で容易に行うことができると共に、カバー取り外し用のスペースを一層省スペース化できる。
【００３４】
図６および図７は本発明の第三実施形態を示す。
本実施形態は、カバー２１を前側の開閉用カバー２１Ａと、後側の開閉不要カバー２１Ｂとに分割し、開閉用カバー２１Ａはケース本体１１に対してスライド開閉できる一方、開閉不要カバー２１Ｂはケース本体１１にロック部４１で固定している。
開閉用カバー２１Ａの分割端縁には、開閉用カバー２１Ａの閉動作時に開閉不要カバー２１Ｂの分割端部の外面に被さる重合部２６を突設している。
【００３５】
前記開閉不要カバー２１Ｂの左右両側のスカート部２３ｂの外面には、図７（Ａ）（Ｂ）に示すように、前後方向の略全長にわたって長穴形状のガイド穴５２を設けた断面コ字状のスライドレール５１を突設している。
【００３６】
前記開閉用カバー２１Ａには、左右両側のスカート部２３ｂの後端部より、前記スライドレール５１内を前後方向に摺動するガイドバー５３を後方に突設している。このガイドバー５３の長さは、開閉用カバー２１Ａの閉動作時において、スライドレール５１の後端部５１ａに突き当たる長さとする。
【００３７】
前記開閉不要カバー２１Ｂと開閉用カバー２１Ａとは、前記スライドレール５１内に前記ガイドバー５３を挿入した状態で、該ガイドバー５３の先端部（後側端部）のピン穴に、前記ガイド穴５２の上下幅よりも大寸径の頭部５４ａを備えたガイドピン５４を螺着し、該ガイドピン５４の頭部５４ａを、前記ガイド穴５２からスライドレール５１の外側に突出させることによって、スライド自在に連結している。
また、これにより、開閉用カバー２１Ａとケース本体１１とは、ケース本体１１に固定された開閉不要カバー２１Ｂを介して間接的にスライド自在に連結された状態となる。
【００３８】
開閉用カバー２１Ａの閉動作時には、開閉用カバー２１Ａの前面側のスカート部２３ｂに設けた係止爪２４を、ケース本体１１の前面側の側壁１３に設けた被係止部１５に係止して、開閉用カバー２１Ａの前方スライドをロック規制する。
【００３９】
本実施形態は、図６（Ａ）（Ｂ）に示すように、開閉用カバー２１Ａを前方に引き出すことにより、前記ガイドピン５４が開閉不要カバー２１Ｂに設けたスライドレール５１のガイド穴５２に沿って摺動するため、開閉用カバー２１Ａを、樹脂カバーＣと干渉することなく前方へ水平にスライドさせることができる。また、ガイド穴５２を、開閉不要カバー２１Ｂの前後方向の略全長にわたって設けているため、該ガイド穴５２の後端５２ａから前端５２ｂまでガイドピン５４が移動するように開閉用カバー２１Ａを引き出すことによって、ケース本体１１の電装品装着部１２の前側部全体を開口できる。
【００４０】
さらに、図６（Ｂ）に示すように、ガイドピン５４がガイド穴５２の前端５２ｂに突き当たることにより、開閉用カバー２１Ａの前方への抜け落ちを規制でき、開動作時においても開閉用カバー２１Ａとケース本体１１との連結状態を維持できる。
また、閉動作時には、前方に引き出した開閉用カバー２１Ａをそのまま後方へ押し戻すことにより、該カバー２１Ａをスライド移動させて、ケース本体１１との正確な閉鎖嵌合位置に容易に戻すことができる。
【図面の簡単な説明】
【００４１】
【図１】本発明の第一実施形態に係る電気接続箱を示し、（Ａ）はカバー閉動作時の状態を示す側面図、（Ｂ）はカバー開動作時の状態を示す側面図である。
【図２】カバー開動作時の状態を示す斜視図である。
【図３】（Ａ）（Ｂ）は支持片の軸着部を示す要部拡大図である。
【図４】カバー嵌合状態を示す要部拡大断面図である。
【図５】本発明の第二実施形態に係る電気接続箱を示し、（Ａ）はカバー閉動作時の状態を示す側面図、（Ｂ）はカバー開動作時の状態を示す側面図である。
【図６】本発明の第三実施形態に係る電気接続箱を示し、（Ａ）はカバー閉動作時の状態を示す側面図、（Ｂ）はカバー開動作時の状態を示す側面図である。
【図７】図６に示す電気接続箱のスライド構造を示す要部拡大図であり、（Ａ）は平面図、（Ｂ）は（Ａ）のＢ−Ｂ線断面図である。
【図８】従来例の図である。
【図９】他の従来例の図である。
【符号の説明】
【００４２】
１０  電気接続箱
１１  ケース本体
１２  電装品装着部
１３  側壁
２１  カバー
２１Ａ  開閉用カバー
２１Ｂ  開閉不要カバー
３１  支持片
３４、３５  軸
【図１】
2008099347.tif 000003
【図２】
2008099347.tif 000004
【図３】
2008099347.tif 000005
【図４】
2008099347.tif 000006
【図５】
2008099347.tif 000007
【図６】
2008099347.tif 000008
【図７】
2008099347.tif 000009
【図８】
2008099347.tif 000010
【図９】
2008099347.tif 000011